(57)【要約】【課題】映像信号伝送装置で、映像信号に重畳されるインジケータ信号の伝送を効果的に行う。【解決手段】映像信号送信装置２では、伝送対象取得手段がＨＤＴＶ信号を取得し、同期情報検出手段１２が同期情報を検出し、ダウンコンバート手段１６がインジケータ信号をダウンコンバートし、映像圧縮手段１４が映像信号を圧縮し、これらの情報からＳＤＴＩ信号生成手段１８がＳＤＴＩ信号を生成し、送信手段が送信する。映像信号受信装置４では、受信手段がＳＤＴＩ信号を受信し、映像伸張手段３６が圧縮映像の情報を伸張し、アップコンバート手段３７がインジケータ信号をアップコンバートし、多重手段３９が伸張後の映像信号とアップコンバート後のインジケータ信号を同期情報に基づいて多重する。【選択図】  図１
2011029773.tif 000002
【特許請求の範囲】
【請求項１】
映像信号送信装置から映像信号受信装置へ映像信号を伝送する映像信号伝送装置において、
前記映像信号送信装置は、伝送対象となるインジケータ信号が含まれるＨＤＴＶ信号を取得する伝送対象取得手段と、
前記伝送対象取得手段により取得されたインジケータ信号が含まれるＨＤＴＶ信号から同期情報を検出する同期情報検出手段と、
前記伝送対象取得手段により取得されたインジケータ信号が含まれるＨＤＴＶ信号から当該インジケータ信号を抽出して、当該インジケータ信号をＨＤＴＶサイズからＳＤＴＶサイズへダウンコンバートするダウンコンバート手段と、
前記伝送対象取得手段により取得されたインジケータ信号が含まれるＨＤＴＶ信号に含まれる映像信号を圧縮する映像圧縮手段と、
前記同期情報検出手段により検出された同期情報又はそれに対応する情報を含み、有効映像期間に、前記映像圧縮手段により得られた圧縮映像の情報を含むとともに、パラレルデータの形式における最下位の１ビットの位置に前記ダウンコンバート手段により得られたダウンコンバート後のインジケータ信号に対応する情報を含むＳＤＴＩフォーマットのＳＤＴＩ信号を生成するＳＤＴＩ信号生成手段と、
前記ＳＤＴＩ信号生成手段により生成されたＳＤＴＩ信号を前記映像信号受信装置に対して送信する送信手段と、を備え、
前記映像信号受信装置は、前記映像信号送信装置から送信されたＳＤＴＩ信号を受信する受信手段と、
前記受信手段により受信されたＳＤＴＩ信号から圧縮映像の情報を分離して、当該圧縮映像の情報を伸張する映像伸張手段と、
前記受信手段により受信されたＳＤＴＩ信号からダウンコンバート後のインジケータ信号に対応する情報を分離して、当該ダウンコンバート後のインジケータ信号をＳＤＴＶサイズからＨＤＴＶサイズへアップコンバートするアップコンバート手段と、
前記映像伸張手段により得られた伸張後の映像信号と前記アップコンバート手段により得られたアップコンバート後のインジケータ信号を、前記受信手段により受信されたＳＤＴＩ信号に含まれる前記同期情報又はそれに対応する情報に基づいて、多重する多重手段と、を備えた、
ことを特徴とする映像信号伝送装置。
【発明の詳細な説明】
【技術分野】
【０００１】
本発明は、映像信号伝送装置に関し、特に、映像信号を圧縮して伝送する場合に、映像信号に重畳されるインジケータ信号の伝送を効果的に行う映像信号伝送装置に関する。
【背景技術】
【０００２】
例えば、地上デジタル放送システムなどでは、カメラにより撮影された映像を伝送装置により伝送することが行われている。
カメラからカメラ制御装置（ＣＣＵ）へ光ケーブルやトライアックスケーブルなどで映像信号を伝送する際に、カメラ制御装置側で映像を見ながらカメラの色調補正やガンマ補正を行うための位置合わせのガイドとして、映像信号中に１ビットのインジケータ信号を付加しておき、カメラ制御装置で、そのインジケータ信号を映像信号の輝度信号（例えば、Ｙ）又は色差信号（例えば、Ｐｂ、Ｐｒ）に加算して、映像信号に重畳することがある。
このとき、本来のカメラの映像信号にはできるだけ影響を与えないようにするため、インジケータ信号を色差信号の最下位ビットに挿入する方法が一般的に用いられている。
【先行技術文献】
【特許文献】
【０００３】
【特許文献１】特開平７−２０３３９９号公報
【発明の概要】
【発明が解決しようとする課題】
【０００４】
しかしながら、例えば光ケーブル伝送のような非圧縮伝送の場合には問題はないが、トライアックスケーブルなどを経由してＭＰＥＧ２やＨ．２６４等の画像圧縮伝送を行う場合には、色差信号の最下位ビットに挿入されたインジケータ信号が画像圧縮の際にノイズとして失われてしまい伝送できなくなる、といった問題があった。
【０００５】
本発明は、このような従来の事情に鑑み為されたもので、映像信号を圧縮して伝送する場合に、映像信号に重畳されるインジケータ信号の伝送を効果的に行うことができる映像信号伝送装置を提供することを目的とする。
【課題を解決するための手段】
【０００６】
上記目的を達成するため、本発明では、映像信号送信装置から映像信号受信装置へ映像信号を伝送する映像信号伝送装置において、次のような構成とした。
すなわち、前記映像信号送信装置では、伝送対象取得手段が、伝送対象となるインジケータ信号が含まれるＨＤＴＶ（Ｈｉｇｈ  Ｄｅｆｉｎｉｔｉｏｎ  Ｔｅｌｅｖｉｓｉｏｎ）信号を取得する。同期情報検出手段が、前記伝送対象取得手段により取得されたインジケータ信号が含まれるＨＤＴＶ信号から同期情報（例えば、ＴＲＳの情報）を検出する。ダウンコンバート手段が、前記伝送対象取得手段により取得されたインジケータ信号が含まれるＨＤＴＶ信号から当該インジケータ信号を抽出して、当該インジケータ信号をＨＤＴＶサイズからＳＤＴＶ（Ｓｔａｎｄａｒｄ  Ｄｅｆｉｎｉｔｉｏｎ  Ｔｅｌｅｖｉｓｉｏｎ）サイズへダウンコンバート（例えば、間引きの処理）する。映像圧縮手段が、前記伝送対象取得手段により取得されたインジケータ信号が含まれるＨＤＴＶ信号に含まれる映像信号を圧縮する。ＳＤＴＩ信号生成手段が、前記同期情報検出手段により検出された同期情報（又は、それに対応する情報）を含み、有効映像期間に、前記映像圧縮手段により得られた圧縮映像の情報を含むとともに、パラレルデータの形式における最下位の１ビットの位置に前記ダウンコンバート手段により得られたダウンコンバート後のインジケータ信号に対応する情報を含むＳＤＴＩ（Ｓｅｒｉａｌ  Ｄａｔａ  Ｔｒａｎｓｐｏｒｔ  Ｉｎｔｅｒｆａｃｅ）フォーマットのＳＤＴＩ信号を生成する。送信手段が、前記ＳＤＴＩ信号生成手段により生成されたＳＤＴＩ信号を前記映像信号受信装置に対して送信する。
【０００７】
前記映像信号受信装置では、受信手段が、前記映像信号送信装置から送信されたＳＤＴＩ信号を受信する。映像伸張手段が、前記受信手段により受信されたＳＤＴＩ信号から圧縮映像の情報を分離して、当該圧縮映像の情報を伸張する。アップコンバート手段が、前記受信手段により受信されたＳＤＴＩ信号からダウンコンバート後のインジケータ信号に対応する情報を分離して、当該ダウンコンバート後のインジケータ信号をＳＤＴＶサイズからＨＤＴＶサイズへアップコンバート（例えば、引き伸ばしの処理）する。多重手段が、前記映像伸張手段により得られた伸張後の映像信号と前記アップコンバート手段により得られたアップコンバート後のインジケータ信号を、前記受信手段により受信されたＳＤＴＩ信号に含まれる前記同期情報（又は、それに対応する情報）に基づいて（例えば、水平や垂直の位置を合わせて）、多重する。
【０００８】
従って、映像信号送信装置から映像信号受信装置へ映像信号を圧縮して伝送する場合に、映像信号に重畳されるインジケータ信号の伝送を効果的に行うことができる。
ここで、映像信号伝送装置や、映像信号送信装置や、映像信号受信装置としては、それぞれ、種々な構成のものが用いられてもよい。
【発明の効果】
【０００９】
以上説明したように、本発明に係る映像信号伝送装置によると、映像信号を圧縮して伝送する場合に、映像信号に重畳されるインジケータ信号の伝送を効果的に行うことができる。
【図面の簡単な説明】
【００１０】
【図１】本発明の一実施例に係る映像信号伝送装置の構成例を示す図である。
【図２】本発明の一実施例に係るＳＤＴＩ信号に対応するパラレル信号のデータの一部の一例を示す図である。
【発明を実施するための形態】
【００１１】
本発明に係る実施例を図面を参照して説明する。
本例では、テレビジョンカメラとカメラ制御装置との間でトライアックス（三重同軸）ケーブルを介してシリアルデジタル信号を双方向伝送するデジタルトライアックスシステムを、映像信号伝送装置の一例として説明する。
なお、本例では、トライアックスケーブルを例とするが、他の任意の回線が用いられてもよい。
【００１２】
図１には、本例の映像信号伝送装置の構成例を示してある。
本例の映像信号伝送装置は、例えばカメラのヘッドであるＨＤＴＶカメラ１と、カメラアダプタ２と、トライアックスケーブル３と、カメラ制御装置（ＣＣＵ）４と、モニタ５を有している。
ここで、例えば、カメラアダプタ２とカメラ制御装置４とは、離隔した場所に設置することが可能である。
【００１３】
カメラアダプタ２は、シリアル−パラレル変換部（Ｓ／Ｐ変換部）１１、ＴＲＳ（Ｔｉｍｉｎｇ  Ｒｅｆｅｒｅｎｃｅ  Ｓｉｇｎａｌ）検出部１２、Ｙ／Ｃ分離部１３、画像圧縮回路１４、バッファメモリ１５、ダウンコンバータ１６、フレームカウンタ１７、ＴＲＳ付加部１８、ブランキング削除回路１９、バッファメモリ２０、データ多重部２１、送受切替スイッチ２２を備えている。
カメラ制御装置４は、送受切替スイッチ３１、データ分離部３２、ブランキング挿入回路３３、バッファメモリ３４、バッファメモリ３５、画像伸張回路３６、アップコンバータ３７、バッファメモリ３８、インジケータ多重部３９、パラレル−シリアル変換部（Ｐ／Ｓ変換部）４０を備えている。
【００１４】
本例の映像信号伝送装置において行われる動作の一例を示す。
ＨＤＴＶカメラ１により映像が撮影され、ＨＤＴＶカメラ１において、その映像の信号（カメラ映像信号）とインジケータ信号が多重され、シリアル・デジタル・インターフェースの信号（本例では、ＨＤ−ＳＤＩの規格の信号）として、カメラアダプタ２へ送られる。なお、この映像信号は、本例では、非圧縮の信号である。
【００１５】
また、本例では、映像信号の色差信号（Ｃ）にインジケータ信号が多重される場合を示す。具体的には、インジケータ信号は、映像信号と同期しており、Ｐｂ（青の色差）、Ｐｒ（赤の色差）のうちの一方の下位の１ビットの位置に０、１が入れられる。
但し、例えば、カメラ制御装置４では、輝度信号（Ｙ）、Ｐｂ（青の色差）、Ｐｒ（赤の色差）のいずれの上位ビットに、インジケータ信号が入れられてもよい。
【００１６】
カメラアダプタ２では、ＨＤＴＶカメラ１から入力された映像信号について、初段のシリアル−パラレル変換部１１がシリアルデータからパラレルデータへ変換してＴＲＳ検出部１２及びＹ／Ｃ分離部１３へ送り、Ｙ／Ｃ分離部１３がその入力信号を輝度信号（Ｙ）と色差信号（Ｃ）に分離して、これらを画像圧縮回路１４へ送るとともに、色差信号（Ｃ）をダウンコンバータ１６へ送る。なお、色差信号（Ｃ）としては、例えば、Ｐｂ（青の色差）、Ｐｒ（赤の色差）の信号が用いられる。
【００１７】
ダウンコンバータ１６は、色差信号（Ｃ）に多重されたインジケータ信号について、それを抽出して、１９２０ピクセル×１０８０ピクセルのＨＤＴＶサイズから７２０ピクセル×４８６ピクセルのＳＤＴＶサイズに間引き処理して、ＴＲＳ付加部１８へ送る。
画像圧縮回路１４は、入力された映像（画像）の信号について、Ｈ．２６４等の任意の圧縮方式で画像圧縮を行い、その結果（圧縮画像データ）をバッファメモリ１５へ送る。ここで、この画像圧縮処理では、本例では、インジケータ信号のところがゼロでマスクされる。また、本例では、画像圧縮処理により、ビットレートが（一例として、１５００Ｍｂｐｓから２７０Ｍｂｐｓへ）低減される。
バッファメモリ１５は、入力された圧縮画像データを一時的に記憶する。
【００１８】
ＴＲＳ検出部１２は、シリアル−パラレル変換部１１から入力された映像信号の同期情報（本例では、ＨＤ−ＳＤＩにおけるフレームパルス）をデコードし、それに基づいて、フレームカウンタ１７にリセットをかける。なお、ＴＲＳにより、デジタル同期が実現される。
フレームカウンタ１７は、フレームをカウントし、その結果に基づく信号をＴＲＳ付加部１８へ送る。なお、本例では、ＨＤの信号とＳＤ（Ｓｔａｎｄａｒｄ  Ｄｅｆｉｎｉｔｉｏｎ）の信号とで、フレームレートは共通となっている（例えば、２９．９７Ｈｚ）。
【００１９】
ＳＤ−ＳＤＩ用のＴＲＳ付加部１８は、フレームカウンタ１７からの信号と、バッファメモリ１５に記憶された圧縮画像データと、ダウンコンバータ１６からのインジケータ信号を用いて、ＳＤＴＩと呼ばれる規格の信号を生成して、ブランキング削除回路１９へ送る。
【００２０】
具体的には、ＴＲＳ付加部１８は、フレームカウンタ１７からの信号に基づく水平・垂直タイミングに合わせて、（本例では、ＳＤ−ＳＤＩに対応した）同期情報（ＴＲＳ）を付加した後に、バッファメモリ１５から圧縮画像データを読み出して、インジケータ信号を加えて、ＳＤＴＩ信号を生成する。このとき、圧縮画像データとインジケータ信号については、ＳＤＴＩと呼ばれるＳＤ−ＳＤＩの有効映像期間に圧縮画像データをパケット化して伝送するフォーマットへ変換する。
【００２１】
図２には、ＴＲＳ付加部１８から出力されるＳＤＴＩ信号（ＳＤ−ＳＤＩ信号）に対応するパラレル信号のデータの一部の一例を示してある。これにより、ＳＤＴＩ信号の有効映像データ内の各データ配置が表されている。
垂直方向は０〜９のビット配列を表しており、水平方向は時間軸である。
ＴＲＳは、（３ＦＦ）ｈ、（０００）ｈ、（０００）ｈ、（ＸＹＺ）ｈの４ワードからなり、ＸＹＺは各種の同期関連情報を表す可変ワードである。
【００２２】
先頭のＴＲＳはＳＡＶ（Ｓｔａｒｔ  ｏｆ  Ａｃｔｉｖｅ  Ｖｉｄｅｏ）と呼ばれ、最後のＴＲＳはＥＡＶ（Ｅｎｄ  ｏｆ  Ａｃｔｉｖｅ  Ｖｉｄｅｏ）と呼ばれ、ＳＡＶからＥＡＶの間の期間が有効映像期間であり、それ以外の期間が水平ブランキング期間となる。
本例では、有効映像期間のビット１からビット８までの８ビットを使用して圧縮画像データ（圧縮映像信号）の伝送を行い、ビット０にインジケータ信号を多重する。また、ビット９にはビット８の反転ビットを挿入し、これにより、ＳＤＩの禁止コード（例えば、ＴＲＳと似たもの）が発生しないようにしている。
【００２３】
ここで、本例のようにＳＤＴＶ用にダウンコンバートしたインジケータ信号をＳＤＴＩを用いて伝送する構成では、伝送パケットを隙間無く効率的に利用することができるだけでなく、ＴＲＳ情報を保持したままアップコンバートすることができるため、カメラ映像に重畳する際にも水平・垂直の位相合わせが容易になるというメリットがある。
【００２４】
ブランキング削除回路１９は、ＴＲＳ付加部１８から入力されたＳＤＴＩ信号について、バッファメモリ２０を用いて、水平・垂直ブランキングを削除して、２５Ｈ期間（Ｈ：水平映像期間）に２３〜２４Ｈの有効映像データを一つにまとめて、データ多重部２１へ送る。
データ多重部２１は、ブランキング削除回路１９から入力された信号について、空いた１〜２Ｈの期間にオーディオデータやＣＰＵ（Ｃｅｎｔｒａｌ  Ｐｒｏｃｅｓｓｉｎｇ  Ｕｎｉｔ）データを多重して送受切替スイッチ２２へ送ることを行い、また、送受切替スイッチ２２が切り替えられることにより得られるカメラ制御装置４から来るリターン信号の受信処理をすることを行う。
【００２５】
ここで、カメラ制御装置４からカメラアダプタ２へ伝送されるリターン信号としては、例えば、他のカメラの映像信号や、オンエア中の映像信号などが用いられる。
リターン信号は、例えば、ブランキング削除回路１９によりブランキングが削除された位置に載せて伝送することが可能である。
また、オーディオデータやＣＰＵデータは、例えば、カメラを扱う人（本例では、ＨＤＴＶカメラ１やカメラアダプタ２を扱う人）と副調整室にいる人（本例では、カメラ制御装置４を扱う人）との間のやりとりなどで伝送される。
【００２６】
送受切替スイッチ２２は、送信状態と受信状態とを切り替える機能を有しており、例えば、操作者（人）による操作に応じて切り替え、或いは、装置により自動的に切り替える。
データ多重部２１から送られた信号は、送受切替スイッチ２２を介してトライアックスケーブル３へ出力され、トライアックスケーブル３を介してカメラ制御装置４へ伝送される。
【００２７】
カメラ制御装置４では、送受切替スイッチ３１が、トライアックスケーブル３を経て伝送されてきた有効映像データについて、所定の２５Ｈ（例えば、ＳＤのＨ：６３．５μｓ）周期で、当該カメラ制御装置４からのリターン信号との間で送受切り替えを行う。
データ分離部３２は、受信信号からオーディオデータやＣＰＵデータを分離して、オーディオデータやＣＰＵデータを除いた受信信号をブランキング挿入回路３３へ送る。
【００２８】
ブランキング挿入回路３３は、データ分離部３２から入力された受信信号（オーディオデータやＣＰＵデータが除かれた信号）について、データ（信号）を一時的に記憶するバッファメモリ３４を用いて、水平・垂直ブランキングを元の位置に挿入して、ＳＤＴＩ信号タイミングのものに復元し、これをバッファメモリ３５及びアップコンバータ３７へ送る。
なお、本例では、受信信号（オーディオデータやＣＰＵデータが除かれた信号）に含まれるインジケータ信号がアップコンバータ３７へ送られ、残りの信号（圧縮映像信号）がバッファメモリ３５へ送られるように、分離される。
【００２９】
バッファメモリ３５は、データ（信号）を一時的に記憶する機能を有しており、ブランキング挿入回路３３から入力された信号に含まれる圧縮画像データ（圧縮映像信号）について、データ量を画像伸張回路３６の処理速度に合わせて調整するために用いられる。
画像伸張回路３６は、バッファメモリ３５から入力された信号について、画像伸張処理を行って、その結果の信号をインジケータ多重部３９へ送る。ここで、本例では、画像伸張処理により、ビットレートが（一例として、２７０Ｍｂｐｓから１５００Ｍｂｐｓへ）増大される。
また、本例では、画像伸張処理では、信号にＴＲＳが付いたまま処理される。
【００３０】
アップコンバータ３７は、ブランキング挿入回路３３から入力された信号に含まれるインジケータ信号について、ＳＤＴＶサイズからＨＤＴＶサイズへ引き伸ばし処理（例えば、間引きと逆の処理であり、同じデータを幾つか並べる処理）を行い、その結果の信号を、データ（信号）を一時的に記憶するバッファメモリ３８へ送る。
なお、本例では、インジケータ信号について、ダウンコンバータ１６で間引きをしていることから、アップコンバータ３７では間引き前よりも粗い情報が得られるが、ある程度、元と同じ情報が得られれば、実際の装置では実用上で有効に動作すると考えられる。
また、本例では、引き伸ばし処理では、信号にＴＲＳが付いたまま処理される。
【００３１】
インジケータ多重部３９は、画像伸張回路３６により伸張された映像信号の水平・垂直タイミングに合わせてバッファメモリ３８からインジケータ信号を読み出し、映像信号の輝度信号又は色差信号（例えば、その上位ビット）にインジケータ信号を加算し、その結果の信号をパラレル−シリアル変換部４０へ送る。ここで、本例では、この多重処理は、ＴＲＳを目印として、タイミングを合わせることができる。
パラレル−シリアル変換部４０は、インジケータ多重部３９から入力された映像信号（インジケータ信号が重畳された映像信号）をパラレル信号からシリアル信号（本例では、ＨＤ−ＳＤＩ信号）へ変換して、カメラ制御装置４の外部へ出力する。
【００３２】
本例では、カメラ制御装置４のコネクタにモニタ５が接続されており、パラレル−シリアル変換部４０から出力されたＨＤ−ＳＤＩ信号に基づいて、映像や、インジケータ信号に関する情報が、モニタ５の画面に表示出力される。ユーザ（人）は、その画面に表示される情報を参照することができる。
【００３３】
以上のように、本例では、ＨＤＴＶカメラ１からカメラ制御装置（ＣＣＵ）４への伝送で、映像信号を画像圧縮して、シリアルデジタル信号の時分割多重伝送（例えば、リターンと本線との切り替え）を行うデジタルトライアックスシステムにおいて、ＳＤＴＩフォーマットの有効映像期間内に、パケット化された圧縮画像データ（圧縮映像信号）と共に、カメラの映像信号に１ビットで多重されたインジケータ信号をＨＤＴＶからＳＤＴＶへダウンコンバートして配置したものを、伝送し、そして、カメラ制御装置４の側で、受信したインジケータ信号をＳＤＴＶからＨＤＴＶへアップコンバートして、受信及び伸張した後のカメラ映像信号に重畳することにより、インジケータ信号を伝送する。
【００３４】
このように、本例では、カメラアダプタ２の側（カメラのヘッド＋カメラのアダプタ）で、画像圧縮を行う前にインジケータ信号を取り出しておき、インジケータ信号をＨＤＴＶサイズからＳＤＴＶサイズに間引き処理（ダウンコンバート）し、ＳＤＴＩパケットで伝送する圧縮画像データの１ビットを利用してカメラアダプタ２からカメラ制御装置４へ伝送することで、カメラの圧縮画像データとは分けて伝送し、そして、カメラ制御装置４の側で、ＳＤＴＶサイズのインジケータ信号をＨＤＴＶサイズに引き伸ばす処理（アップコンバート）を行って、これにより得られたインジケータ信号を画像伸張されたカメラ映像信号に重畳する。
【００３５】
従って、本例では、ＨＤＴＶカメラ１からカメラ制御装置４へ画像圧縮されたＨＤＴＶ映像信号をシリアルデジタル信号で伝送するデジタルトライアックスシステムにおいて、映像信号に付加された１ビットのインジケータ情報を圧縮画像と共に伝送することを効果的に行うことができる。
また、本例では、カメラ映像信号に重畳するインジケータ信号を圧縮画像データとともに効率良く伝送することができるとともに、伸張後の映像データにインジケータ信号を重畳する際にもＴＲＳを基準にして水平・垂直の位相合わせが容易である。
【００３６】
なお、図１に示される本例の映像信号伝送装置におけるカメラアダプタ２（映像信号送信装置の一例）では、ＨＤＴＶカメラ１から伝送対象となるＨＤＴＶ信号を入力することで取得する機能により伝送対象取得手段が構成されており、ＴＲＳ検出部１２により同期情報（本例では、ＴＲＳの情報）を検出する機能により同期情報検出手段が構成されており、Ｙ／Ｃ分離部１３やダウンコンバータ１６によりＨＤＴＶ信号からインジケータ信号を抽出してダウンコンバートする機能によりダウンコンバート手段が構成されており、画像圧縮回路１４により映像信号を圧縮する機能により映像圧縮手段が構成されており、フレームカウンタ１７やＴＲＳ付加部１８によりＳＤＴＩ信号を生成する機能によりＳＤＴＩ信号生成手段が構成されており、トライアックスケーブル３を介してカメラ制御装置４に対してＳＤＴＩ信号を送信する機能により送信手段が構成されている。
なお、映像信号送信装置の他の一例として、ＨＤＴＶカメラ１とカメラアダプタ２を有して構成されるととらえて、そして、ＨＤＴＶカメラ１により映像を撮像（撮影）して伝送対象となるＨＤＴＶ信号を取得する機能により伝送対象取得手段が構成されるととらえることも可能である。
【００３７】
また、図１に示される本例の映像信号伝送装置におけるカメラ制御装置４（映像信号受信装置の一例）では、カメラアダプタ２からトライアックスケーブル３を介してＳＤＴＩ信号を受信する機能により受信手段が構成されており、受信信号から圧縮映像の情報を分離して画像伸張回路３６により伸張する機能により映像伸張手段が構成されており、受信信号からインジケータ信号に対応する情報を分離してアップコンバータ３７によりアップコンバートする機能によりアップコンバート手段が構成されており、同期情報（本例では、ＴＲＳの情報）に基づいて伸張後の映像信号とアップコンバート後のインジケータ信号をインジケータ多重部３９により多重する機能により多重手段が構成されている。
【００３８】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００３９】
１・・ＨＤＴＶカメラ、  ２・・カメラアダプタ、  ３・・トライアックスケーブル、  ４・・カメラ制御装置（ＣＣＵ）、  ５・・モニタ、  １１・・シリアル−パラレル変換部（Ｓ／Ｐ変換部）、  １２・・ＴＲＳ検出部、  １３・・Ｙ／Ｃ分離部、  １４・・画像圧縮回路、  １５、２０、３４、３５、３８・・バッファメモリ、  １６・・ダウンコンバータ、  １７・・フレームカウンタ、  １８・・ＴＲＳ付加部、  １９・・ブランキング削除回路、  ２１・・データ多重部、  ２２、３１・・送受切替スイッチ、  ３２・・データ分離部、  ３３・・ブランキング挿入回路、  ３６・・画像伸張回路、  ３７・・アップコンバータ、  ３９・・インジケータ多重部、  ４０・・パラレル−シリアル変換部（Ｐ／Ｓ変換部）、
【図１】
2011029773.tif 000003
【図２】
2011029773.tif 000004